(57)【要約】【課題】Ｄｙｎａｍｉｃ  ＴＤＤ方式で通信する場合におけるフォールバック動作時にＵＬサブフレーム以外のサブフレームでＵＬ信号を送信することを回避すること。【解決手段】Ｄｙｎａｍｉｃ  ＴＤＤ方式で通信するユーザ端末は、Ｄｙｎａｍｉｃ  ＴＤＤセルのサブフレーム構成の動的な変更指示を含む制御情報を受信する受信部と、ＳＩＢ１または上位レイヤから通知されたＤｙｎａｍｉｃ  ＴＤＤセルのサブフレーム構成に基づいたフォールバック動作時に、フレキシブルサブフレームでの個別リソース送信を行わないよう制御する制御部と、を有する。【選択図】図２
2015139108.tif 000002
【特許請求の範囲】
【請求項１】
Ｄｙｎａｍｉｃ  ＴＤＤ方式で通信するユーザ端末であって、
Ｄｙｎａｍｉｃ  ＴＤＤセルのサブフレーム構成の動的な変更指示を含む制御情報を受信する受信部と、
ＳＩＢ１または上位レイヤから通知された前記Ｄｙｎａｍｉｃ  ＴＤＤセルのサブフレーム構成に基づいたフォールバック動作時に、フレキシブルサブフレームでの個別リソース送信を行わないよう制御する制御部と、を有することを特徴とするユーザ端末。
【請求項２】
前記制御部は、前記フレキシブルサブフレームにおいて下りリンクサブフレームに変更されていない上りリンクサブフレームでは、前記個別リソース送信を行うよう制御することを特徴とする請求項１に記載のユーザ端末。
【請求項３】
Ｄｙｎａｍｉｃ  ＴＤＤ方式で通信するユーザ端末であって、
Ｄｙｎａｍｉｃ  ＴＤＤセルのサブフレーム構成の動的な変更指示を含む制御情報および固定サブフレームのみで構成される個別リソースの送信構成を設定する新たに定義されたテーブルに基づいた第１の個別リソース送信構成を受信する受信部と、
前記第１の個別リソース送信構成に基づいて個別リソースを送信するよう制御する制御部と、を有することを特徴とするユーザ端末。
【請求項４】
前記受信部は、さらに既存のテーブルに基づいた第２の個別リソース送信構成を受信し、
前記制御部は、ＳＩＢ１または上位レイヤから通知された前記Ｄｙｎａｍｉｃ  ＴＤＤセルのサブフレーム構成に基づいたフォールバック動作時には前記第１の個別リソース送信構成に基づいて個別リソースを送信するよう制御するとともに、前記フォールバック動作時以外には前記第２の個別リソース送信構成に基づいて個別リソースを送信するよう制御することを特徴とする請求項３に記載のユーザ端末。
【請求項５】
Ｄｙｎａｍｉｃ  ＴＤＤ方式で通信するユーザ端末と通信する無線基地局であって、
Ｄｙｎａｍｉｃ  ＴＤＤを適用するユーザ端末に向けて、固定サブフレームのみで構成される個別リソースの送信構成を設定する新たに定義されたテーブルを記憶する記憶部と、
Ｄｙｎａｍｉｃ  ＴＤＤセルのサブフレーム構成を選択する選択部と、
前記サブフレーム構成に基づいて前記ユーザ端末と前記Ｄｙｎａｍｉｃ  ＴＤＤセルとの送受信を制御する制御部と、
前記サブフレーム構成を含む制御信号および前記新たに定義されたテーブルに基づいた第１の個別リソース送信構成をユーザ端末に通知する送信部と、を有することを特徴とする無線基地局。
【請求項６】
Ｄｙｎａｍｉｃ  ＴＤＤ方式で通信するユーザ端末の無線通信方法であって、
Ｄｙｎａｍｉｃ  ＴＤＤセルのサブフレーム構成の動的な変更指示を含む制御情報を受信する工程と、
ＳＩＢ１または上位レイヤから通知された前記Ｄｙｎａｍｉｃ  ＴＤＤセルのサブフレーム構成に基づいたフォールバック動作時に、フレキシブルサブフレームでの個別リソース送信を行わないよう制御する工程と、を有することを特徴とする無線通信方法。
【発明の詳細な説明】
【技術分野】
【０００１】
本発明は、次世代移動通信システムにおけるユーザ端末、無線基地局および無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。
【０００３】
ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００４】
ＬＴＥからのさらなる広帯域化および高速化を目的として、たとえばＬＴＥアドバンストまたはＬＴＥエンハンスメントと呼ばれるＬＴＥの後継システムが検討され、ＬＴＥ  Ｒｅｌ．１０／１１（ＬＴＥ−Ａ）として仕様化されている。
【０００５】
ＬＴＥシステムおよびＬＴＥ−Ａシステムの無線通信における複信形式（Duplex-mode）として、上りリンク（ＵＬ：UpLink）と下りリンク（ＤＬ：DownLink）を周波数で分割する周波数分割複信（ＦＤＤ：Frequency  Division  Duplex）と、上りリンクと下りリンクを時間で分割する時間分割複信（ＴＤＤ：Time  Division  Duplex）とがある。
【０００６】
ＬＴＥシステムのＴＤＤでは、無線フレーム内におけるＵＬサブフレームとＤＬサブフレームとの構成比率が異なるＵＬ−ＤＬ構成（UL-DL  configuration）＃０から＃６が規定されている（図１参照）。ユーザ端末は、ＳＩＢ１（System  Information  Block  Type1）で通知されたいずれかのＵＬ−ＤＬ構成に基づいて通信を行う。
【０００７】
ＬＴＥのさらなる後継システムであるＬＴＥ  Ｒｅｌ．１２においては、既存のＵＬ−ＤＬ構成を動的に切り替えることにより、ＴＤＤのフレーム構成を上下トラフィックに応じて動的に切り替えるＤｙｎａｍｉｃ  ＴＤＤ（またはＲｅｌ．１２  ｅＩＭＴＡ（enhanced  Interference  Management  and  Traffic  Adaptation））が検討されている。
【先行技術文献】
【非特許文献】
【０００８】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００９】
Ｄｙｎａｍｉｃ  ＴＤＤにおいて、ユーザ端末は、ＳＩＢ１で通知されたＵＬ−ＤＬ構成とは異なる、動的に変更された実際のＵＬ−ＤＬ構成を知ることができない場合がある。このような場合に、ユーザ端末がＳＩＢ１で通知されたＵＬ−ＤＬ構成に従ってＰＤＣＣＨまたはＥＰＤＣＣＨをモニタリングするフォールバック動作を行うと、実際のＵＬ−ＤＬ構成におけるＵＬサブフレーム以外のサブフレームでＵＬ信号を送信してしまうおそれがある。
【００１０】
本発明はかかる点に鑑みてなされたものであり、Ｄｙｎａｍｉｃ  ＴＤＤ方式で通信する場合におけるフォールバック動作時にＵＬサブフレーム以外のサブフレームでＵＬ信号を送信することを回避できるユーザ端末、無線基地局および無線通信方法を提供することを目的とする。
【課題を解決するための手段】
【００１１】
本発明のユーザ端末は、Ｄｙｎａｍｉｃ  ＴＤＤ方式で通信するユーザ端末であって、Ｄｙｎａｍｉｃ  ＴＤＤセルのサブフレーム構成の動的な変更指示を含む制御情報を受信する受信部と、ＳＩＢ１または上位レイヤから通知された前記Ｄｙｎａｍｉｃ  ＴＤＤセルのサブフレーム構成に基づいたフォールバック動作時に、フレキシブルサブフレームでの個別リソース送信を行わないよう制御する制御部と、を有することを特徴とする。
【発明の効果】
【００１２】
本発明によれば、Ｄｙｎａｍｉｃ  ＴＤＤ方式で通信する場合におけるフォールバック動作時にＵＬサブフレーム以外のサブフレームでＵＬ信号を送信することを回避できる。
【図面の簡単な説明】
【００１３】
【図１】既存のＵＬ−ＤＬ構成を説明する図である。
【図２】第１の個別リソース送信ルールを適用した構成を説明する図である。
【図３】第２の個別リソース送信ルールを適用した構成を説明する図である。
【図４】本実施の形態に係る無線通信システムの概略構成の一例を示す図である。
【図５】本実施の形態に係る無線基地局の全体構成の一例を示す図である。
【図６】本実施の形態に係る無線基地局の機能構成の一例を示す図である。
【図７】本実施の形態に係るユーザ端末の全体構成の一例を示す図である。
【図８】本実施の形態に係るユーザ端末の機能構成の一例を示す図である。
【発明を実施するための形態】
【００１４】
以下、本発明の実施の形態について、図面を参照して詳細に説明する。
図１は、ＴＤＤにおける７つのＵＬ−ＤＬ構成を説明する図である。図１において、“Ｄ”はＤＬサブフレーム、“Ｕ”はＵＬサブフレーム、“Ｓ”はスペシャルサブフレーム（特殊サブフレーム）を示している。
【００１５】
Ｄｙｎａｍｉｃ  ＴＤＤにおいて、ＳＩＢ１で通知したＵＬ−ＤＬ構成とは異なるＵＬ−ＤＬ構成への動的（dynamic）な切り替えが可能である。しかし、後方互換性を確保するため、ＳＩＢ１で通知したＤＬサブフレームおよびスペシャルサブフレームは、ＵＬサブフレームに変更することはできない。
【００１６】
たとえば、図１に示すＵＬ−ＤＬ構成＃０において、ＤＬサブフレーム（サブフレーム番号０，５）およびスペシャルサブフレーム（サブフレーム番号１，６）は、他のＵＬ−ＤＬ構成＃１から＃６においてもＤＬサブフレームまたはスペシャルサブフレームである。したがって、ＳＩＢ１でＵＬ−ＤＬ構成＃０を通知した場合、他のＵＬ−ＤＬ構成＃１から＃６のいずれにも動的に変更することができる。
【００１７】
一方、ＵＬ−ＤＬ構成＃１においてサブフレーム番号４はＤＬサブフレームであるが、ＵＬ−ＤＬ構成＃０，＃３，＃６においてサブフレーム番号４はＵＬサブフレームである。したがって、ＳＩＢ１でＵＬ−ＤＬ構成＃１を通知した場合には、ＵＬ−ＤＬ構成＃０，＃３，＃６に動的に変更することはできない。
【００１８】
図１に示すように、無線フレームには、固定サブフレーム（Fixed  Subframe）とフレキシブルサブフレーム（Flexible  Subframe）とが設けられている。固定サブフレームは、異なるＵＬ−ＤＬ構成間で伝送方向が固定されるサブフレームである。フレキシブルサブフレームは、異なるＵＬ−ＤＬ構成間で伝送方向が固定されないサブフレームである。フレキシブルサブフレームでは、Ｄｙｎａｍｉｃ  ＴＤＤにおいて、ＵＬサブフレームとＤＬサブフレームとの変更が可能である。
【００１９】
固定サブフレームおよびフレキシブルサブフレームは、ＳＩＢ１で通知したＵＬ−ＤＬ構成から暗黙的にユーザ端末に通知してもよいし、報知信号やＲＲＣ（Radio  Resource  Control）シグナリングなどを含む上位レイヤシグナリングを用いて通知してもよい。
【００２０】
Ｄｙｎａｍｉｃ  ＴＤＤにおいて、ＳＩＢ１で通知されるＵＬ−ＤＬ構成とは異なる、動的に変更される実際のＵＬ−ＤＬ構成は、物理下りリンク制御チャネル（ＰＤＣＣＨ：Physical  Downlink  Control  Channel）または拡張物理下りリンク制御チャネル（ＥＰＤＣＣＨ：Enhanced  PDCCH）を用いたＬ１シグナリングによりユーザ端末に通知される。
【００２１】
ユーザ端末が、このＬ１シグナリングの受信に失敗した場合や、間欠受信（ＤＲＸ：Discontinuous  Reception）状態から復帰してこのＬ１シグナリングを受信する前には、ユーザ端末はＬ１シグナリングにより通知される実際のＵＬ−ＤＬ構成を知ることはできない。
【００２２】
このような場合に、ユーザ端末は、ＳＩＢ１で通知されたＵＬ−ＤＬ構成または上位レイヤから通知されたＵＬ−ＤＬ構成に従って、ＰＤＣＣＨまたはＥＰＤＣＣＨをモニタリングするフォールバック動作を行うことが提案されている。
【００２３】
フォールバック動作時において、ユーザ端末は、ＰＤＣＣＨまたはＥＰＤＣＣＨによって送信サブフレームが動的に通知される信号、たとえば上り共有チャネル（ＰＵＳＣＨ：Physical  Uplink  Shared  Channel）などでは、実際のＵＬ−ＤＬ構成に基づいた送信が可能である。しかし、それ以外の場合には、ユーザ端末は、実際のＵＬ−ＤＬ構成におけるＤＬサブフレームまたはスペシャルサブフレームでＵＬ信号を送信してしまうおそれがある。フォールバック動作時において、ユーザ端末が、ＵＬサブフレーム以外のサブフレームでＵＬ信号を送信すると、セル内干渉が発生することが想定される。
【００２４】
そこで本発明者らは、フォールバック動作時において、ユーザ端末が実際のＵＬ−ＤＬ構成におけるＵＬサブフレーム以外での個別リソース送信を回避する個別リソース送信ルールを見出した。以下、このような個別リソース送信ルールについて説明する。
【００２５】
フォールバック動作時において、ユーザ端末が実際のＵＬ−ＤＬ構成におけるＵＬサブフレーム以外での個別リソース送信を回避する個別リソース送信ルールとして、フォールバック動作時に周期送信する個別リソースを停止する第１の個別リソース送信ルール、または、Ｄｙｎａｍｉｃ  ＴＤＤ向けに固定サブフレームだけで設定可能な個別リソース構成を規定する第２の個別リソース送信ルールを適用する。
【００２６】
ここで、個別リソースとは、ＰＤＣＣＨまたはＥＰＤＣＣＨによって送信サブフレームを動的に通知する信号以外の信号を指す。たとえば、個別リソースとは、周期的なＣＳＩ（Channel  State  Information）、スケジューリングリクエスト（ＳＲ：Scheduling  Request）またはＳＲＳ（Sounding  Reference  Signal）などの信号を指す。また、ＵＬサブフレーム以外での送信が発生し得るおそれがあるため、ＴＴＩ（Transmission  Time  Interval）バンドリングを適用して送信される個別リソースも含む。
【００２７】
フォールバック動作時に周期送信する個別リソースを停止する第１の個別リソース送信ルールについて説明する。
【００２８】
第１の個別リソース送信ルールを適用する場合であって、Ｄｙｎａｍｉｃ  ＴＤＤが設定された場合には、ユーザ端末は、フレキシブルサブフレームでの個別リソース送信を一律に行わない。この場合、フレキシブルサブフレームで個別リソース送信を行うことは、実装によりまたはユーザ端末動作として禁止する。
【００２９】
たとえば、図２Ａに示すように、ＳＩＢ１でＵＬ−ＤＬ構成＃０を通知している場合、ユーザ端末は、フレキシブルサブフレームであるサブフレーム番号３，４，７，８および９では個別リソース送信を行わない。
【００３０】
これにより、フレキシブルサブフレームにおけるＵＬサブフレームがＤＬサブフレームまたはスペシャルサブフレームに動的に変更されていたとしても、フォールバック動作時に、ユーザ端末がＵＬサブフレーム以外のサブフレームでＵＬ信号を送信することを回避することができる。
【００３１】
あるいは、第１の個別リソース送信ルールを適用する場合であって、Ｄｙｎａｍｉｃ  ＴＤＤが設定された場合には、ユーザ端末は、ＤＬサブフレームに変更されたＵＬサブフレームに限り個別リソース送信を行わない。すなわち、ユーザ端末は、フレキシブルサブフレームであっても、通知されたＵＬ−ＤＬ構成においてＵＬサブフレームとＤＬサブフレームとが不変のサブフレームでは、個別リソース送信を行う。
【００３２】
たとえば、図２Ｂに示すように、ＳＩＢ１でＵＬ−ＤＬ構成＃０を通知している場合、ユーザ端末は、数サブフレーム前に通知されるＵＬグラントによってサブフレーム７をＵＬサブフレームとして判定している場合には、サブフレーム７がフレキシブルサブフレームであっても、サブフレーム７でＵＬ信号を送信する。一方、ユーザ端末は、ＵＬグラントを通知されておらずサブフレーム９がＤＬサブフレームかＵＬサブフレームか判定できない場合には、サブフレーム９ではＵＬ信号を送信しない。
【００３３】
これにより、フレキシブルサブフレームにおけるＵＬサブフレームがＤＬサブフレームまたはスペシャルサブフレームに動的に変更されていたとしても、フォールバック動作時に、ユーザ端末がＵＬサブフレーム以外のサブフレームでＵＬ信号を送信することを回避することができる。
【００３４】
図２Ｂに示す例では、ユーザ端末はＵＬグラントによってＵＬサブフレームかＤＬサブフレームかを判定しているが、ＵＬグラントに限らず、ＣＳＩ−ＲＳなど、シグナリングとシグナリング対象の信号の送信タイミングが同一サブフレームとはならずに、あらかじめユーザ端末がＵＬサブフレームかＤＬサブフレームかを判定できるすべての場合で、このルールを適用できる。
【００３５】
続いて、Ｄｙｎａｍｉｃ  ＴＤＤ向けに固定サブフレームだけで設定可能な個別リソース構成を規定する第２の個別リソース送信ルールについて説明する。
【００３６】
第２の個別リソース送信ルールを適用する場合には、Ｄｙｎａｍｉｃ  ＴＤＤの適用に向けて、無線基地局およびユーザ端末は、ＵＬサブフレームとＤＬサブフレームとが不変のサブフレーム、すなわち固定サブフレームのみで構成される、個別リソースの送信周期や送信サブフレームオフセットを設定する新たに定義されたテーブルを利用する。
【００３７】
図３Ａに示すように、無線基地局は、新たに定義されたテーブルから個別リソース送信構成（configuration）を１つユーザ端末にシグナリングする。このシグナリングは、報知信号やＲＲＣシグナリングなどを含む上位レイヤシグナリングを用いて行う。Ｄｙｎａｍｉｃ  ＴＤＤを適用するユーザ端末は、常に、この構成に従って個別リソースを送信する。
【００３８】
これにより、フレキシブルサブフレームにおけるＵＬサブフレームがＤＬサブフレームまたはスペシャルサブフレームに動的に変更されていたとしても、フォールバック動作時に、ユーザ端末がＵＬサブフレーム以外のサブフレームでＵＬ信号を送信することを回避することができる。
【００３９】
あるいは、図３Ｂに示すように、無線基地局は、既存のテーブルおよび新たに定義されたテーブルから１つずつ個別リソース送信構成（configuration）をユーザ端末にシグナリングする。Ｄｙｎａｍｉｃ  ＴＤＤを適用するユーザ端末は、フォールバック動作時には新たに定義されたテーブルに基づいた個別リソース送信構成を用いて、個別リソースを送信する。当該ユーザ端末は、フォールバック動作時以外には、既存のテーブルに基づいた個別リソース送信構成を用いて、個別リソースを送信する。すなわち、ユーザ端末は、フォールバック動作時とそれ以外とで個別リソース送信構成を切り替えて使用する。
【００４０】
図３Ｂに示す例において、新たに定義されたテーブルは、既存のテーブルと同一のテーブルであってもよい。また、新たに定義されたテーブルは、既存のテーブルを包含するテーブルであってもよい。すなわち、既存のテーブルから異なる２つの個別リソース送信構成をユーザ端末にシグナリングすることもできるし、新たに定義されたテーブルから異なる２つの個別リソース送信構成をユーザ端末にシグナリングすることもできる。
【００４１】
これにより、フレキシブルサブフレームにおけるＵＬサブフレームがＤＬサブフレームまたはスペシャルサブフレームに動的に変更されていたとしても、フォールバック動作時に、ユーザ端末がＵＬサブフレーム以外のサブフレームでＵＬ信号を送信することを回避することができる。
【００４２】
ＴＴＩバンドリングについては、上記第１および第２の個別リソース送信ルールに代えて、ＴＴＩバンドリングが適用されないように規定することにより、実際のＵＬサブフレーム以外での個別リソース送信を回避してもよい。
【００４３】
たとえば、Ｄｙｎａｍｉｃ  ＴＤＤを適用するユーザ端末にはＴＴＩバンドリングを適用しないように、ＲＲＣシグナリングなどの上位レイヤシグナリングにより規定してもよい。
【００４４】
たとえば、Ｄｙｎａｍｉｃ  ＴＤＤを適用する場合、ＴＴＩバンドリングの構成（configuration）が存在しないことを、ＲＲＣシグナリングなどの上位レイヤシグナリングにより規定してもよい。
【００４５】
たとえば、Ｄｙｎａｍｉｃ  ＴＤＤを適用するユーザ端末は、ＲＲＣシグナリングなどの上位レイヤシグナリングからのＴＴＩバンドリングの適用通知を無視するように、ユーザ端末動作が規定されていてもよい。
【００４６】
以上説明したように、フォールバック動作時において、ユーザ端末が実際のＵＬ−ＤＬ構成におけるＵＬサブフレーム以外での個別リソース送信を回避する個別リソース送信ルールを適用することにより、フォールバック動作時にユーザ端末がＵＬサブフレーム以外のサブフレームでＵＬ信号を送信し、セル内干渉を発生させることを避けることができる。
【００４７】
（無線通信システムの構成）
以下、本実施の形態に係る無線通信システムの構成について説明する。この無線通信システムでは、上述の個別リソース送信ルールを適用した無線通信方法が適用される。
【００４８】
図４は、本実施の形態に係る無線通信システムの一例を示す概略構成図である。図４に示すように、無線通信システム１は、複数の無線基地局１０（１１および１２）と、各無線基地局１０によって形成されるセル内にあり、各無線基地局１０と通信可能に構成された複数のユーザ端末２０と、を備えている。無線基地局１０は、それぞれ上位局装置３０に接続され、上位局装置３０を介してコアネットワーク４０に接続される。
【００４９】
図４において、無線基地局１１は、たとえば相対的に広いカバレッジを有するマクロ基地局で構成され、マクロセルＣ１を形成する。無線基地局１２は、局所的なカバレッジを有するスモール基地局で構成され、スモールセルＣ２を形成する。なお、無線基地局１１および１２の数は、図４に示す数に限られない。
【００５０】
マクロセルＣ１およびスモールセルＣ２では、同一の周波数帯が用いられてもよいし、異なる周波数帯が用いられてもよい。また、無線基地局１１および１２は、基地局間インタフェース（たとえば、光ファイバ、Ｘ２インタフェース）を介して互いに接続される。
【００５１】
無線基地局１１と無線基地局１２との間、無線基地局１１と他の無線基地局１１との間または無線基地局１２と他の無線基地局１２との間では、デュアルコネクティビティ（ＤＣ）またはキャリアアグリゲーション（ＣＡ）が適用されてもよい。
【００５２】
ユーザ端末２０は、ＬＴＥ、ＬＴＥ−Ａなどの各種通信方式に対応した端末であり、移動通信端末だけでなく固定通信端末を含んでいてもよい。ユーザ端末２０は、無線基地局１０を経由して他のユーザ端末２０と通信を実行できる。
【００５３】
上位局装置３０には、たとえば、アクセスゲートウェイ装置、無線ネットワークコントローラ（ＲＮＣ）、モビリティマネジメントエンティティ（ＭＭＥ）等が含まれるが、これに限定されるものではない。
【００５４】
無線通信システム１では、下りリンクのチャネルとして、各ユーザ端末２０で共有される下り共有チャネル（ＰＤＳＣＨ：Physical  Downlink  Shared  Channel）、下り制御チャネル（ＰＤＣＣＨ：Physical  Downlink  Control  Channel、ＥＰＤＣＣＨ：Enhanced  Physical  Downlink  Control  Channel）、報知チャネル（ＰＢＣＨ）などが用いられる。ＰＤＳＣＨにより、ユーザデータや上位レイヤ制御情報、所定のＳＩＢ（System  Information  Block）が伝送される。ＰＤＣＣＨ、ＥＰＤＣＣＨにより、下り制御情報（ＤＣＩ）が伝送される。
【００５５】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）などが用いられる。ＰＵＳＣＨにより、ユーザデータや上位レイヤ制御情報が伝送される。
【００５６】
図５は、本実施の形態に係る無線基地局１０の全体構成図である。図５に示すように、無線基地局１０は、ＭＩＭＯ伝送のための複数の送受信アンテナ１０１と、アンプ部１０２と、送受信部１０３と、ベースバンド信号処理部１０４と、呼処理部１０５と、インターフェース部１０６とを備えている。
【００５７】
下りリンクにより無線基地局１０からユーザ端末２０に送信されるユーザデータは、上位局装置３０からインターフェース部１０６を介してベースバンド信号処理部１０４に入力される。
【００５８】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、たとえば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００５９】
ベースバンド信号処理部１０４は、ＭＡＣレイヤのシグナリング、物理レイヤのシグナリングまたはＲＲＣシグナリングを含む上位レイヤシグナリングにより、ユーザ端末２０に対して、当該セルにおける通信のための制御情報を通知する。この制御情報には、たとえば、Ｄｙｎａｍｉｃ  ＴＤＤセルで利用するＤＬサブフレームおよびＵＬサブフレーム構成に関する情報が含まれる。
【００６０】
各送受信部１０３は、ベースバンド信号処理部１０４からアンテナごとにプリコーディングして出力された下り信号を無線周波数帯に変換する。アンプ部１０２は、周波数変換された無線周波数信号を増幅して送受信アンテナ１０１により送信する。
【００６１】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００６２】
各送受信部１０３は、Ｄｙｎａｍｉｃ  ＴＤＤセルで利用するＤＬサブフレームおよびＵＬサブフレーム構成に関する情報を含む制御情報をＭＡＣレイヤのシグナリングで送信する送信部として機能する。また、各送受信部１０３は、第２の個別リソース送信ルールを適用した場合に、新たに定義されたテーブルに基づいた個別リソース送信ルールを送信する送信部として機能する。
【００６３】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、インターフェース部１０６を介して上位局装置３０に転送される。呼処理部１０５は、通信チャネルの設定や解放などの呼処理や、無線基地局１０の状態管理や、無線リソースの管理を行う。
【００６４】
インターフェース部１０６は、基地局間インターフェース（たとえば、光ファイバ、Ｘ２インターフェース）を介して隣接無線基地局と信号を送受信（バックホールシグナリング）する。あるいは、インターフェース部１０６は、所定のインターフェースを介して、上位局装置３０と信号を送受信する。
【００６５】
図６は、本実施の形態に係る無線基地局１０が有するベースバンド信号処理部１０４の主な機能構成図である。図６に示すように、無線基地局１０が有するベースバンド信号処理部１０４は、制御部３０１と、ＤＬ信号生成部３０２と、サブフレーム構成選択部３０３と、テーブル記憶部３０４と、マッピング部３０５と、ＵＬ信号復号部３０６と、判定部３０７と、を少なくとも含んで構成されている。
【００６６】
制御部３０１は、ＰＤＳＣＨで送信される下りユーザデータ、ＰＤＣＣＨと拡張ＰＤＣＣＨ（ＥＰＤＣＣＨ）の両方、またはいずれか一方で伝送される下り制御情報、下り参照信号などのスケジューリングを制御する。また、制御部３０１は、ＰＲＡＣＨで伝送されるＲＡプリアンブル、ＰＵＳＣＨで伝送される上りデータ、ＰＵＣＣＨまたはＰＵＳＣＨで伝送される上り制御情報、上り参照信号のスケジューリングの制御（割り当て制御）も行う。上りリンク信号（上り制御信号、上りユーザデータ）の割り当て制御に関する情報は、下り制御信号（ＤＣＩ）を用いてユーザ端末２０に通知される。
【００６７】
制御部３０１は、上位局装置３０からの指示情報や各ユーザ端末２０からのフィードバック情報に基づいて、下りリンク信号および上りリンク信号に対する無線リソースの割り当てを制御する。つまり、制御部３０１は、スケジューラとしての機能を有している。
【００６８】
制御部３０１は、ユーザ端末２０がＤｙｎａｍｉｃ  ＴＤＤセルと接続する場合には、サブフレーム構成選択部３０３で選択されたＤＬサブフレームおよびＵＬサブフレームの構成に基づいて、各サブフレームに対するＤＬ信号およびＵＬ信号の割り当てを制御する。また、制御部３０１は、ユーザ端末２０がＤｙｎａｍｉｃ  ＴＤＤセルと接続する場合であって、ユーザ端末２０が第２の個別リソース送信ルールに従う場合には、テーブル記憶部３０４に記憶された新たに定義されたテーブルに基づいた個別リソース送信構成をユーザ端末２０に通知するように制御する。
【００６９】
ＤＬ信号生成部３０２は、制御部３０１により割り当てが決定された下り制御信号や下りデータ信号を生成する。具体的には、ＤＬ信号生成部３０２は、制御部３０１からの指示に基づいて、ＤＬ信号の割り当てを通知するＤＬアサインメントおよびＵＬ信号の割り当てを通知するＵＬグラントを生成する。また、ＤＬ信号生成部３０２は、サブフレーム構成選択部３０３で選択されたサブフレーム構成に関する情報を生成する。また、ＤＬ信号生成部３０２は、テーブル記憶部３０４に記憶されたテーブルに基づいた個別リソース送信構成に関する情報を生成する。
【００７０】
サブフレーム構成選択部３０３は、トラフィックなどを考慮してＤｙｎａｍｉｃ  ＴＤＤで利用するサブフレーム構成を選択する。
【００７１】
テーブル記憶部３０４は、既存のテーブルおよび新たに定義されたテーブルを記憶する。  
【００７２】
マッピング部３０５は、制御部３０１からの指示に基づいて、ＤＬ信号生成部３０２で生成された下り制御信号と下りデータ信号の無線リソースへの割り当てを制御する。
【００７３】
ＵＬ信号復号部３０６は、上り制御チャネルでユーザ端末から送信された送達確認信号などのフィードバック信号を復号し、制御部３０１へ出力する。ＵＬ信号復号部３０６は、上り共有チャネルでユーザ端末から送信された上りデータ信号を復号し、判定部３０７へ出力する。
【００７４】
判定部３０７は、ＵＬ信号復号部３０６の復号結果に基づいて、再送制御判定を行うとともにその結果を制御部３０１へ出力する。
【００７５】
図７は、本実施の形態に係るユーザ端末２０の全体構成図である。図７に示すように、ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５と、を備えている。
【００７６】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理などがなされる。この下りリンクのデータのうち、下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【００７７】
一方、上りリンクのユーザデータについては、アプリケーション部２０５からベースバンド信号処理部２０４に入力される。ベースバンド信号処理部２０４では、再送制御（ＨＡＲＱ：Ｈｙｂｒｉｄ  ＡＲＱ）の送信処理や、チャネル符号化、プリコーディング、ＤＦＴ処理、ＩＦＦＴ処理などが行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【００７８】
送受信部２０３は、ユーザ端末２０がＤｙｎａｍｉｃ  ＴＤＤセルと接続する場合に、無線基地局１０から送信されるＤｙｎａｍｉｃ  ＴＤＤセルのサブフレーム構成の動的な指示を含む制御情報を受信する受信部として機能する。また、送受信部２０３は、第２の個別リソース送信ルールを適用した場合に、無線基地局１０から送信される新たなテーブルに基づいた個別リソース送信構成や既存のテーブルに基づいた個別リソース送信構成を受信する受信部として機能する。
【００７９】
図８は、ユーザ端末２０が有するベースバンド信号処理部２０４の主な機能構成図である。図８に示すように、ユーザ端末２０が有するベースバンド信号処理部２０４は、ＤＬ信号復号部４０１と、サブフレーム構成判断部４０２と、判定部４０３と、制御部４０４と、ＵＬ信号生成部４０５と、マッピング部４０６と、を少なくとも含んで構成されている。
【００８０】
ＤＬ信号復号部４０１は、下り制御チャネルで送信された下り制御信号を復号し、スケジューリング情報を制御部４０４へ出力する。ＤＬ信号復号部４０１は、下り共有チャネルで送信された下りデータ信号を復号し、判定部４０３へ出力する。
【００８１】
判定部４０３は、ＤＬ信号復号部４０１の復号結果に基づいて、再送制御判定を行うとともに、その結果を制御部４０４へ出力する。
【００８２】
サブフレーム構成判断部４０２は、無線基地局１０から通知されるＤｙｎａｍｉｃ  ＴＤＤセルのＤＬサブフレームおよびＵＬサブフレームに関する制御情報を判断する。サブフレーム構成判断部４０２は、Ｄｙｎａｍｉｃ  ＴＤＤセルのＤＬサブフレームおよびＵＬサブフレームに関する情報を制御部４０４へ出力する。
【００８３】
制御部４０４は、無線基地局１０から送信された下り制御信号（ＰＤＣＣＨ信号）や、受信したＰＤＳＣＨ信号に対する再送制御判定結果に基づいて、上り制御信号（Ａ／Ｎ信号等）や上りデータ信号の生成を制御する。無線基地局から受信した下り制御信号はＤＬ信号復号部４０１から出力され、再送制御判定結果は、判定部４０３から出力される。
【００８４】
制御部４０４は、サブフレーム構成判断部４０２から出力されるＤｙｎａｍｉｃ  ＴＤＤセルのＤＬサブフレームおよびＵＬサブフレーム構成に関する情報に基づいて、上り制御信号や上りデータ信号の送信を制御する。第１の個別リソース送信ルールを適用する場合には、制御部４０４は、ＳＩＢ１または上位レイヤから通知されたＤｙｎａｍｉｃ  ＴＤＤセルのサブフレーム構成に基づいたフォールバック動作時に、フレキシブルサブフレームでの個別リソース送信を行わないよう制御する。第２の個別リソース送信ルールを適用する場合には、制御部４０４は、新たに定義されたテーブルに基づいた個別リソース送信構成を用いて個別リソースを送信するよう制御する。
【００８５】
ＵＬ信号生成部４０５は、制御部４０４からの指示に基づいて、たとえば送達確認信号やフィードバック信号などの上り制御信号を生成する。ＵＬ信号生成部４０５は、制御部４０４からの指示に基づいて、上りデータ信号を生成する。
【００８６】
マッピング部４０６は、制御部４０４からの指示に基づいて、上り制御信号と上りデータ信号の無線リソースへの割り当てを制御する。
【００８７】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【符号の説明】
【００８８】
１…無線通信システム
１０，１１，１２…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…インターフェース部
２０１…送受信アンテナ
２０２…アンプ部
２０３…送受信部
２０４…ベースバンド信号処理部
２０５…アプリケーション部
３０１…制御部（スケジューラ）
３０２…ＤＬ信号生成部
３０３…サブフレーム構成選択部
３０４…テーブル記憶部
３０５…マッピング部
３０６…ＵＬ信号復号部
３０７…判定部
４０１…ＤＬ信号復号部
４０２…サブフレーム構成判断部
４０３…判定部
４０４…制御部
４０５…ＵＬ信号生成部
４０６…マッピング部
【図１】
2015139108.tif 000003
【図２】
2015139108.tif 000004
【図３】
2015139108.tif 000005
【図４】
2015139108.tif 000006
【図５】
2015139108.tif 000007
【図６】
2015139108.tif 000008
【図７】
2015139108.tif 000009
【図８】
2015139108.tif 000010
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
Ｌ１シグナリングで通知されるＴＤＤセルのサブフレーム構成を含む制御情報を受信する受信部と、
前記Ｌ１シグナリングで通知されるサブフレーム構成を検出できない場合、上りリンクグラントによって上りリンク共有チャネルの送信が割り当てられていないサブフレームでは、サウンディング参照信号の送信を停止するよう制御する制御部と、を有することを特徴とするユーザ端末。
【請求項２】
前記サブフレームが、上位レイヤから通知されるサブフレーム構成において、下りリンクサブフレームと通知されていることを特徴とする請求項１に記載のユーザ端末。
【請求項３】
前記サウンディング参照信号が、周期的に送信されるリソースであることを特徴とする請求項１に記載のユーザ端末。
【請求項４】
Ｌ１シグナリングを介してＴＤＤセルのサブフレーム構成を含む制御信号を送信する送信部と、
ユーザ端末からのサウンディング参照信号を受信する受信部と、を有し、
前記ユーザ端末が前記Ｌ１シグナリングで通知するサブフレーム構成を検出できない場合、上りリンクグラントによって上りリンク共有チャネルの送信を割り当てていないサブフレームでは、前記受信部が、前記サウンディング参照信号を受信しないことを特徴とする無線基地局。
【請求項５】
ｅＩＭＴＡ方式で通信するユーザ端末の無線通信方法であって、
Ｌ１シグナリングで通知されるＴＤＤセルのサブフレーム構成を含む制御情報を受信する工程と、
前記Ｌ１シグナリングで通知されるサブフレーム構成を検出できない場合、上りリンクグラントによって上りリンク共有チャネルの送信が割り当てられていないサブフレームでは、サウンディング参照信号の送信を停止するよう制御する工程と、を有することを特徴とする無線通信方法。
【請求項６】
ｅＩＭＴＡ方式で通信するユーザ端末と無線基地局とを有する無線通信システムであって、
前記ユーザ端末は、
Ｌ１シグナリングで通知されるＴＤＤセルのサブフレーム構成を含む制御情報を受信する受信部と、
前記Ｌ１シグナリングで通知されるサブフレーム構成を検出できない場合、上りリンクグラントによって上りリンク共有チャネルの送信が割り当てられていないサブフレームでは、サウンディング参照信号の送信を停止するよう制御する制御部と、を有することを特徴とする無線通信システム。
【手続補正２】
【補正対象書類名】明細書
【補正対象項目名】００１１
【補正方法】変更
【補正の内容】
【００１１】
本発明のユーザ端末は、Ｌ１シグナリングで通知されるＴＤＤセルのサブフレーム構成を含む制御情報を受信する受信部と、前記Ｌ１シグナリングで通知されるサブフレーム構成を検出できない場合、上りリンクグラントによって上りリンク共有チャネルの送信が割り当てられていないサブフレームでは、サウンディング参照信号の送信を停止するよう制御する制御部と、を有することを特徴とする。